(57)【要約】【課題】  本発明は、アクセス回線が光回線である場合の、省電力化が可能な光ネットワーク装置を提供することを目的とする。【解決手段】  光ファイバーを介して、ＯＬＴ７０から送信される所定の情報の受信が可能なＯＮＵ（光ネットワーク装置）１００は、複数の所定の回路部４，５，６と、電源部２と、複数のスイッチ３と、電源制御部２とを、備えている。ここで、電源部１は、複数の所定の回路部４，５，６に電源を、個別に供給する。また、複数のスイッチ３は、所定の回路部４，５，６と電源部１との間に、個別に配設されている。また、電源制御部２は、スイッチ３のＯＮ、ＯＦＦを個別に制御する。【選択図】  図２
2007089027.tif 000002
【特許請求の範囲】
【請求項１】
光ファイバーを介して、ＯＬＴから送信される所定の情報の受信が可能な光ネットワーク装置において、
複数の所定の回路部と、
前記複数の所定の回路部に電源を供給する電源部と、
前記複数の所定の回路部と前記電源部との間に、個別に配設されている複数のスイッチと、
前記複数のスイッチのＯＮ、ＯＦＦを、個別に制御する電源制御部とを、備えている、
ことを特徴とする光ネットワーク装置。
【請求項２】
前記光ファイバーのインターフェイスとなる、光インターフェイス部と、
外部に存する端末とのインターフェイスとなる、端末インターフェイス部と、
前記光インターフェイス部または前記端末インターフェイス部と接続されており、前記光インターフェイス部または前記端末インターフェイス部における、通信状況を検出する通信状況検出部とを、さらに備えており、
前記通信状況検出部は、前記通信状況の良または不良を検出した場合には、前記電源制御部に対して、所定の信号を送信し、
前記所定の信号を受信した前記電源制御部は、前記通信状況の良または不良に応じて、前記スイッチのＯＮ、ＯＦＦを制御する、
ことを特徴とする請求項１に記載の光ネットワーク装置。
【請求項３】
前記電源制御部は、
前記ＯＬＴから送信される命令に応じて、所定の前記スイッチの制御を行う、
ことを特徴とする請求項１に記載の光ネットワーク装置。
【発明の詳細な説明】
【技術分野】
【０００１】
この発明は、たとえば光アクセス通信機器の宅内装置として使用される、光ネットワーク装置に係る発明である。
【背景技術】
【０００２】
従来、モデムの省電力に関する技術として、特許文献１に記載の技術が存在する。特許文献１に係わる技術では、電話回線からの呼び出し信号を検出したときだけ、モデム内のチップに電力の供給を行う。これにより、待機時の消費電力を削減することができる、待機電力低減モデムを提供している。
【０００３】
また、待機電力低減モデムおよび待機電力低減方法に関する技術として、特許文献２に記載の技術が存在する。特許文献２に係わる技術では、モジュラーコネクタにモジュラーケーブルが差し込まれていない場合、リング信号の受信待機状態を維持するための電源の供給を停止させる。これにより、モデムの低消費電力化を図っている。
【０００４】
【特許文献１】特開２００１−３２０５１１号公報
【特許文献２】特開２０００−２５３１７２号公報
【発明の開示】
【発明が解決しようとする課題】
【０００５】
上記特許文献１，２は、アクセス回線が電話回線である場合の、モデムの省電力化についての発明である。つまり、当該特許文献１，２には、アクセス回線が光回線である場合の、モデムの省電力化ついては言及されていない。
【０００６】
また、特許文献１，２では、モデムとパーソナルコンピュータ等の端末との未接続時の、当該モデムの省電力化については、考慮されていない。
【０００７】
そこで、本発明は、アクセス回線が光回線である場合の、省電力化が可能なＯＮＵ（光ネットワーク装置）を提供することを目的とする。さらに、好ましくは、ＯＮＵと端末との未接続時においても、省電力化が可能なＯＮＵを提供することを目的とする。
【課題を解決するための手段】
【０００８】
上記の目的を達成するために、本発明に係る請求項１に記載の光ネットワーク装置は、光ファイバーを介して、ＯＬＴから送信される所定の情報の受信が可能な光ネットワーク装置において、複数の所定の回路部と、前記複数の所定の回路部に電源を供給する電源部と、前記複数の所定の回路部と前記電源部との間に、個別に配設されている複数のスイッチと、前記複数のスイッチのＯＮ、ＯＦＦを、個別に制御する電源制御部とを、備えている。
【発明の効果】
【０００９】
本発明の請求項１に記載の光ネットワーク装置は、光ファイバーを介して、ＯＬＴから送信される所定の情報の受信が可能な光ネットワーク装置において、複数の所定の回路部と、前記複数の所定の回路部に電源を供給する電源部と、前記複数の所定の回路部と前記電源部との間に、個別に配設されている複数のスイッチと、前記複数のスイッチのＯＮ、ＯＦＦを、個別に制御する電源制御部とを、備えている。したがって、電源制御部の制御の下、スイッチのスイッチングを制御することができる。したがって、必要に応じて、所定の回路部への電源の供給の停止、再開を行うことができる。つまり、省電力化の光ネットワーク装置を提供することができる。
【発明を実施するための最良の形態】
【００１０】
以下、この発明をその実施の形態を示す図面に基づいて具体的に説明する。
【００１１】
＜実施の形態１＞
図１は、光アクセスネットワークの構成を示す概念図である。当該光アクセスネットワークは、一般的に、ＰＯＮ（Ｐａｓｓｉｖｅ Ｏｐｔｉｃａｌ Ｎｅｔｗｏｒｋ）システムと呼ばれている。当該光アクセスネットワークは、ユーザ５０と、通信事業者（図示せず）とを、光ファイバーの通信路で接続している。
【００１２】
図１に示すように、ユーザ５０は、自宅等において、通信路を終端するＯＮＵ（Ｏｐｔｉｃａｌ Ｎｅｔｗｏｒｋ Ｕｎｉｔ；光ネットワーク装置）１００（以下、単にＯＮＵ１００と称する）を設置している。また、通信路の途中には、スターカップラ６０が設置されている。ここで、スターカップラ６０には、複数本の光ファイバーが接続されている。そして、いずれかの光ファイバーから入力された光信号を、他の光ファイバーに分配している。さらに、通信事業者（図示せず）の局舎内には、通信路を終端するＯＬＴ（Ｏｐｔｉｃａｌ Ｌｉｎｅ Ｔｅｒｍｉｎａｔｏｒ）７０が設置されている。
【００１３】
図１に示す光アクセスネットワークにおいて、ＯＬＴ７０から送信された各ユーザ５０宛のデジタルコンテンツのタイムスロットは、スターカップラ６０において、各ユーザ５０に分配される。そして、各ユーザ５０の自宅等に設置されている各ＯＮＵ１００が、各ユーザ宛のデジタルコンテンツのタイムスロットのみを受信する。
【００１４】
図２は、本実施の形態に係わるＯＮＵ１００の具体的な内部構成を示す、ブロック図である。また、図２には、当該ＯＮＵ１００に接続される周辺機器も図示している。
【００１５】
図２に示すように、本実施の形態に係わるＯＮＵ１００は、電源部１、電源制御部２、複数（本実施の形態では、３つ）のスイッチ３、光インターフェイス部４、ＰＯＮ処理部５、ＬＡＮ・ＰＨＹ（ＬＡＮ物理層）処理部（端末インターフェイス部と把握できる）６等から構成されている。
【００１６】
電源部１は、所定の回路部（光インターフェイス部４、ＰＯＮ処理部５、ＬＡＮ・ＰＨＹ処理部６等）と、接続されている。そして、電源部１は、当該所定の回路部４〜６に、電源を供給する。また、電源部１は、外部に存するＡＣアダプタ１５と接続されている。
【００１７】
スイッチ３は、当該所定の回路部４〜６と電源部１との間に、配設されている。そして、スイッチ３は、当該所定の回路部４〜６への電源供給および電源停止の切り替えを行う。
【００１８】
電源制御部２は、各スイッチ３に接続されている。そして、電源制御部２は、各スイッチ３のＯＮ、ＯＦＦの切り替えを制御する。
【００１９】
また、光インターフェイス部４は、光ファイバーのインターフェイスとなる部分である。ＰＯＮ処理部５は、ＯＬＴ７０から送られてくる信号およびＯＬＴ７０に送る信号の変調・復調処理を行う。
【００２０】
ＬＡＮ・ＰＨＹ処理部６は、外部に存する、パーソナルコンピュータ等の端末２０とのインターフェイスとなる、端末インターフェイス部である。また、ＬＡＮ・ＰＨＹ処理部６は、当該端末２０との間での通信における、物理層の制御を行う。
【００２１】
なお、光インターフェイス部４とＰＯＮ処理部５とは、信号の授受可能に接続されている。また、ＰＯＮ処理部５とＬＡＮ・ＰＨＹ処理部６とは、信号の授受可能に接続されている。
【００２２】
図２に示すように、ＯＬＴ７０と端末２０とは、ＯＮＵ１００を介して通信する。その際の通信経路は、ＯＬＴ７０⇔光インターフェイス部４ ⇔ＰＯＮ処理部５ ⇔ＬＡＮ・ＰＨＹ処理部６⇔ 端末２０、である。
【００２３】
本実施の形態に係わるＯＮＵ１００は、上記のように、スイッチ３と、当該スイッチ３のスイッチング動作を制御する電源制御部２とを、備えている。したがって、省電力化可能なＯＮＵ１００を提供することができる。
【００２４】
つまり、電源制御部２に対して、命令を入力する。すると、電源制御部２は、当該命令に基づいて、所定のスイッチ３をＯＦＦする。したがって、当該所定のスイッチ３と接続されている回路部への電源供給が行われない。つまり、ＯＮＵ１００の省電力化が可能となる。電源制御部２に対する、上記命令の入力は、様々な場面で行い得る。
【００２５】
たとえば、工場出荷時において、ユーザ側において使用しない回路部が存在するとする。この場合、当該回路部に電源の供給を行われないように、工場側において、電源制御部２に所定の命令を入力する。すると、電源制御部２の制御の下、所定のスイッチ３をＯＦＦ状態にすることができる。結果として、ＯＮＵ１００内の上記回路部への電源の供給が行われない。つまり、ＯＮＵ１００の省電力化を図ることができる。
【００２６】
また、ユーザ側においても、必要に応じて、電源制御部２に対して命令を入力し、動作不要の回路部への電源供給を停止することも、可能である。もし、当分の間、端末２０とＯＬＴ７０との間での通信を行わない場合には、電源制御部２の制御の下、すべてのスイッチ３をＯＦＦ状態にすることもできる。
【００２７】
なお、電源制御部２に別の命令を入力し、電源制御部２の制御の下、所定の時期に、所定のスイッチ３をＯＮ状態にすることもできることは、言うまでも無い。
【００２８】
＜実施の形態２＞
図３は、本実施の形態に係わるＯＮＵ１００の具体的な内部構成を示す、ブロック図である。また、図３には、当該ＯＮＵ１００に接続される周辺機器も図示している。
【００２９】
図３と図２との比較から分かるように、本実施の形態に係わるＯＮＵ１００は、実施の形態１に係わるＯＮＵ１００の構成に加えて、通信状況検出部２５をさらに備えている。図２，３において、共通する構成については、ここでの詳細な説明は省略する。
【００３０】
通信状況検出部２５は、光インターフェイス部４および／またはＬＡＮ・ＰＨＹ処理部（端末インターフェイス部と把握できる）６と接続されている。そして、通信状況検出部２５は、光インターフェイス部４および／またはＬＡＮ・ＰＨＹ処理部６を監視している。そして、通信状況検出部２５は、当該監視を通じて、光インターフェイス部４および／またはＬＡＮ・ＰＨＹ処理部６における、通信状況を検出する。
【００３１】
具体的に、通信状況検出部２５は、光インターフェイス部４を監視することにより、ＯＬＴ７０と光インターフェイス部４との間における通信状況（通信の有無、ＯＬＴ７０とＯＮＵ１００との接続の有無等も含む）を検出する。また、通信状況検出部２５は、ＬＡＮ・ＰＨＹ処理部６を監視することにより、端末２０と光ＬＡＮ・ＰＨＹ処理部６との間における通信状況（通信の有無、端末２０とＯＮＵ１００との接続の有無等も含む）を検出する。
【００３２】
通信状況検出部２５は、上記検出の結果、通信状況の良（通信ありも含む）または不良（通信なしも含む）を検出する。当該検出後、通信状況検出部２５は、電源制御部２に対して、所定の信号を送信する。そして、所定の信号を受信した電源制御部２は、当該通信状況の良または不良に応じて、所定のスイッチ３のＯＮ、ＯＦＦを制御する。
【００３３】
たとえば、ＯＬＴ７０の故障や光線路２１の断線が発生し、これにより、ＯＬＴ７０−端末２０間の通信が不能となったとする。当該場合には、光インターフェイス部４を監視している通信状況検出部２５は、ＯＬＴ７０と光インターフェイス部４との間における、通信状況の不良を検出する。
【００３４】
当該通信状況の不良を検出した、通信状況検出部２５は、電源制御部２に対して、当該事項を知らせる信号を出力する。当該信号を受信した電源制御部２は、所定のスイッチ３をＯＦＦ状態にする。
【００３５】
これにより、たとえば、ＰＯＮ処理部５およびＬＡＮ・ＰＨＹ処理部６への、電源供給を停止することができる。つまり、ＯＮＵ１００の省電力化が可能となる。
【００３６】
その後、ＯＬＴ７０と光インターフェイス４部との間における、通信が回復（復旧）したとする。すると、通信状況検出部２５は、光インターフェイス部４を通じて、ＯＬＴ７０と光インターフェイス部４との間における、通信状況の良を検出する。
【００３７】
当該通信状況の良を検出した、通信状況検出部２５は、電源制御部２に対して、当該事項を知らせる信号を出力する。当該信号を受信した電源制御部２は、所定のスイッチ３をＯＮ状態にする。
【００３８】
これにより、たとえば、ＰＯＮ処理部５およびＬＡＮ・ＰＨＹ処理部６への、電源供給を再開することができる。
【００３９】
また、たとえば、端末２０の故障や線路２２の断線（端末２０とＯＮＵ１００との間の未接続等も含む）が発生し、これにより、ＯＬＴ７０−端末２０間の通信が不能となったとする。当該場合には、ＬＡＮ・ＰＨＹ処理部６を監視している通信状況検出部２５は、端末２０とＬＡＮ・ＰＨＹ処理部６との間における、通信状況の不良（未接続等も含む）を検出する。
【００４０】
当該通信状況の不良を検出した、通信状況検出部２５は、電源制御部２に対して、当該事項を知らせる信号を出力する。当該信号を受信した電源制御部２は、所定のスイッチ３をＯＦＦ状態にする。
【００４１】
これにより、たとえば、ＰＯＮ処理部５および光インターフェイス部４への、電源供給を停止することができる。つまり、ＯＮＵ１００の省電力化が可能となる。
【００４２】
その後、端末２０とＬＡＮ・ＰＨＹ処理部６との間における、通信が回復（復旧）したとする。すると、通信状況検出部２５は、ＬＡＮ・ＰＨＹ処理部６を通じて、端末２０とＬＡＮ・ＰＨＹ処理部６との間における、通信状況の良を検出する。
【００４３】
当該通信状況の良を検出した、通信状況検出部２５は、電源制御部２に対して、当該事項を知らせる信号を出力する。当該信号を受信した電源制御部２は、所定のスイッチ３をＯＮ状態にする。
【００４４】
これにより、たとえば、ＰＯＮ処理部５および光インターフェイス部４への、電源供給を再開することができる。
【００４５】
なお、通信状況の不良の旨の信号を受信した電源制御部２は、すべてのスイッチ３をＯＦＦ状態にしても良い。この場合において、通信状況が良となったときには、外部から（たとえば人が）、電源制御部２に対して、所定の命令を入力する。これにより、当該命令に基づいて電源制御部２は、所定のスイッチ３をＯＮ状態に戻すことになる。
【００４６】
以上のように、本実施の形態に係わるＯＮＵ１００は、通信状況検出部２５をさらに備えている。そして、当該通信状況検出部２５が検出する通信状況に応じて、所定の信号を電源制御部２に送信している。そして、電源制御部２は、当該所定の信号に応じて、所定のスイッチ３のＯＮ，ＯＦＦ制御を行っている。
【００４７】
したがって、当該ＯＮＵ１００は、通信状況が不良（未接続も含む）のときには、所定の回路部への電源供給を、自動的に、停止することができる。つまり、ＯＮＵ１００の省電力化を自動的に行うことができる。さらに、通信状況が良（接続も含む）となったときには、所定の回路部への電源供給を、自動的に、再開することができる。
【００４８】
なお、本実施の形態に係わるＯＮＵ１００では、ＯＮＵ１００とパーソナルコンピュータ等の端末２０、または、ＯＮＵ１００とＯＬＴ７０の未接続時においても、当該ＯＮＵ１００の省電力化が可能となることは、上述の構成より明らかである。
【００４９】
＜実施の形態３＞
本実施の形態に係わるＯＮＵは、以下の動作を行う電源制御部を備えている。つまり、当該電源制御部は、ＯＬＴから送信される命令に応じて、所定のスイッチのＯＮ，ＯＦＦ制御を行う。
【００５０】
図４は、本実施の形態に係わるＯＮＵ１００の具体的な内部構成を示す、ブロック図である。また、図４には、当該ＯＮＵ１００に接続される周辺機器も図示している。
【００５１】
図４と図２との比較から分かるように、本実施の形態に係わるＯＮＵ１００は、実施の形態１に係わるＯＮＵ１００の構成とほぼ同じである。ただし、両ＯＮＵ１００は、以下の点において相違する。
【００５２】
本実施の形態に係わるＯＮＵ１００において、電源制御部２は、ＯＬＴ７０から送信される所定の命令に応じて、所定のスイッチ３のＯＦＦ（または、ＯＮ）を制御する。これにより、所定の回路部への電源供給を中断（または、再開）することができる。
【００５３】
また、本実施の形態では、図４に示すように、ＰＯＮ処理部５と電源制御部２との間には、通信経路がさらに配設されている。
【００５４】
上記以外の構成は、図２と図４とで、同じである。したがって、ここでの説明は省略する。
【００５５】
ＰＯＮ処理部５では、ＯＬＴ７０から送信されてくる所定の命令を受信する。そして、当該命令の内容に応じたスイッチ３の制御に関する信号を、電源制御部２に向けて送信する。そして、当該信号を受信した電源制御部２は、当該信号に応じて（つまり、前記所定の命令に応じて）、所定のスイッチ３のＯＦＦ（または、ＯＮ）を制御する。これにより、所定の回路部への電源供給を中断（または、再開）することができる。
【００５６】
たとえば、ＯＬＴ７０で故障が発生したとする。このような場合、当該ＯＬＴ７０と端末２０との間での、通常の通信は行えなくなる。当該状況において、ＯＬＴ７０は、緊急時の回線を用いて、当該ＯＮＵ１００に対して、所定の命令を送信する。そして、当該命令を受信したＯＮＵ１００において、電源制御部２は、当該命令に応じて、所定のスイッチ３をＯＦＦさせる。
【００５７】
これにより、現時点で不必要な回路部（たとえば、ＬＡＮ・ＰＨＹ処理部６）への電源の供給を中止することができる。つまり、ＯＮＵ１００の省電力化を図ることが、可能となる。
【００５８】
その後、ＯＬＴ７０の故障が回復したとする。そのときにおいても、ＯＬＴ７０は、当該ＯＮＵ１００に対して、所定の命令を送信する。そして、当該命令を受信したＯＮＵ１００において、電源制御部２は、当該命令に応じて、所定のスイッチ３をＯＮさせる。
【００５９】
これにより、通信に必要な回路部（たとえば、上述で電源の供給を停止していたＬＡＮ・ＰＨＹ処理部６等）への電源の供給を再開することができる。したがって、ＯＬＴ７０と端末２０との間の通信を再開することができる。
【００６０】
ここで、上記において、電源制御部２は、すべてのスイッチ３をＯＦＦ状態にしても良い。この場合において、ＯＬＴ７０の故障が復旧したときには、外部から（たとえば、人が）、電源制御部２に対して、所定の命令を入力する。これにより、当該命令に基づいて電源制御部２は、所定のスイッチ３をＯＮ状態に戻すことになる。
【００６１】
別のケースについて言及する。
【００６２】
たとえば、ＯＮＵ１００において、ＬＡＮ・ＰＨＹ処理部６でエラーが発生したとする。このような場合、ＯＮＵ１００は、ＯＬＴ７０に対して、その旨を知らせる信号を送信する。そして、当該信号を受信したＯＬＴ７０は、当該ＯＮＵ１００に対して、所定の命令を送信する。そして、当該命令を受信したＯＮＵ１００において、電源制御部２は、当該命令に応じて、所定のスイッチ３をＯＦＦさせる。
【００６３】
これにより、ＬＡＮ・ＰＨＹ処理部６への電源の供給を中止することができる。つまり、ＯＮＵ１００の省電力化を図ることが、可能となる。
【００６４】
その後、ＬＡＮ・ＰＨＹ処理部６のエラーが回復したとする。そのときにおいても、ＯＮＵ１００は、ＯＬＴ７０に対して、その旨を知らせる信号を送信する。そして、ＯＬＴ７０は、当該ＯＮＵ１００に対して、所定の命令を送信する。そして、当該命令を受信したＯＮＵ１００において、電源制御部２は、当該命令に応じて、所定のスイッチ３をＯＮさせる。
【００６５】
これにより、ＬＡＮ・ＰＨＹ処理部６への電源の供給を再開することができる。したがって、ＯＬＴ７０と端末２０との間の通信を再開することができる。
【００６６】
なお、上記では、ＬＡＮ・ＰＨＹ処理部６において、エラーが発生する場合に言及した。しかし、図示していない他の回路部等において、エラーが発生した場合にも、上記動作を類推適用できる。ただし、光インターフェイス４やＰＯＮ処理部５等で、エラーが発生した場合には、上記動作は、適用できない。
【００６７】
以上のように、本実施の形態に係わるＯＮＵ１００において、電源制御部２は、ＯＬＴ７０からの命令に応じて、所定のスイッチ３のスイッチングを制御している。
【００６８】
したがって、上記のように、たとえばＯＬＴ７０において故障が発生した場合には、当該ＯＮＵ１００は、ＯＬＴ７０からの所定の命令を受信することにより、所定の回路部への電源供給を、自動的に、停止することができる。つまり、ＯＮＵ１００の省電力化を自動的に行うことができる。さらに、たとえばＯＬＴ７０が復旧したときには、所定の回路部への電源供給を、自動的に、再開することができる。
【図面の簡単な説明】
【００６９】
【図１】ＰＯＮシステムの構成を示す概念図である。
【図２】実施の形態１に係わるＯＮＵの構成の概略を示す、ブロック図である。
【図３】実施の形態２に係わるＯＮＵの構成の概略を示す、ブロック図である。
【図４】実施の形態３に係わるＯＮＵの構成の概略を示す、ブロック図である。
【符号の説明】
【００７０】
１  電源部、２  電源制御部、３  スイッチ、４  光インターフェイス、５  ＰＯＮ処理部、６  ＬＡＮ・ＰＨＹ処理部、１５  ＡＣアダプタ、２０  端末、２１  光線路、２２  線路、２５  通信状況検出部、６０  スターカップラ、７０  ＯＬＴ、１００  ＯＮＵ（光ネットワーク装置）。
【図１】
2007089027.tif 000003
【図２】
2007089027.tif 000004
【図３】
2007089027.tif 000005
【図４】
2007089027.tif 000006